(57)【要約】【課題】ロックの解除を容易にでき、容易にケージから取り外すことのできる安価で組立容易なロック機構付きパッケージを提供する。【解決手段】ケージ３２内に挿抜自在に挿入されるパッケージ本体６と、パッケージ本体６に挿抜方向と交差する方向へ延びて設けられケージ３２に抜き取り方向の移動を規制するように係合されるロック部１２と、パッケージ本体６に挿抜方向スライド自在に設けられ抜き方向にスライドすることでケージ３２をロック部１２から離すように押すリリース部材１５とを備えたものである。【選択図】        図７
2004309575.tif 000002
【特許請求の範囲】
【請求項１】
ケージ内に挿抜自在に挿入されるパッケージ本体と、該パッケージ本体に挿抜方向と交差する方向へ延びて設けられ上記ケージに抜き取り方向の移動を規制するように係合されるロック部と、上記パッケージ本体に挿抜方向スライド自在に設けられ抜き方向にスライドすることで上記ケージを上記ロック部から離すように押すリリース部材とを備えたことを特徴とするロック機構付きパッケージ。
【請求項２】
上記パッケージ本体に、上記リリース部材の少なくとも一部を収容するリリース部材収容部を形成した請求項１記載のロック機構付きパッケージ。
【請求項３】
上記リリース部材は、挿し方向へスライドさせたとき上記パッケージ本体に完全に没入する位置までスライド可能に設けられた請求項１又は２記載のロック機構付きパッケージ。
【請求項４】
上記リリース部材はそのスライド行程中に、上記パッケージ本体に完全に没入する位置から略無負荷で抜き方向にスライドしてパッケージ本体から突出する遊び行程と、上記ケージに係合してケージを上記ロック部から離脱させるロック解除行程と、上記パッケージ本体に抜き側へのスライドを規制されてパッケージ本体に抜き方向の力を伝える引き抜き行程とを有する請求項１〜３いずれかに記載のロック機構付きパッケージ。
【請求項５】
上記リリース部材をそのスライド方向に沿って弾発付勢する弾性部材を備えた請求項１〜４いずれかに記載のロック機構付きパッケージ。
【請求項６】
上記リリース部材を抜き方向に弾発付勢する弾性部材と、該弾性部材の弾発力に抗して上記リリース部材のスライドを規制するスライド規制機構とを備えた請求項５記載のロック機構付きパッケージ。
【請求項７】
上記リリース部材は、一端を抜き側に露出させると共に他端側に上記ケージ側に膨らむ凸部を有し、上記パッケージ本体には、上記ロック部の近傍位置で上記凸部を上記ケージ側に押し当てるように案内するガイド部が設けられた請求項１〜６いずれかに記載のロック機構付きパッケージ。
【請求項８】
上記パッケージ本体に、上記凸部が上記ケージに押し当てられているときに上記凸部に係合して上記リリース部材の抜き方向の相対移動を規制するストッパ手段を設けた請求項７記載のロック機構付きパッケージ。
【請求項９】
上記リリース部材収容部内に上記ガイド部を設けた請求項７又は８記載のロック機構付きパッケージ。
【請求項１０】
上記凸部は上記リリース部材の一部を成形して形成された請求項７〜９いずれかに記載のロック機構付きパッケージ。
【請求項１１】
上記リリース部材は抜き側の端部に取っ手を有する請求項１〜１０いずれかに記載のロック機構付きパッケージ。
【請求項１２】
上記取っ手はリリース部材の一部を成型して形成された請求項１１記載のロック機構付きパッケージ。
【請求項１３】
上記パッケージ本体は、上記取っ手を収容すべく上記取っ手の周囲を切り欠いて形成した収容スペースを有する請求項１１又は１２記載のロック機構付きパッケージ。
【発明の詳細な説明】
【０００１】
【発明の属する技術分野】
本発明は、光送受信モジュールなどの光通信用パッケージに係り、ケージに対して交換可能に取り付けられる光通信用のロック機構付きパッケージに関するものである。
【０００２】
【従来の技術】
長距離高速光通信などに使用する光送受信モジュールは、送信用光素子と受信用光素子とを１つのパッケージに収容したものである。また、光送受信モジュールは、光信号や電気信号の変調、増幅、補償或いは安定化のための電気素子をも上記パッケージに収容している。この光送受信モジュールと外部伝送路としての光ファイバとを接続するために、光素子に通じる開口部をパッケージに形成し、この開口部に光ファイバの端末に取り付けられている光ファイバコネクタを挿入するようにした、いわゆるリセプタクルタイプの光送受信モジュールがある。
【０００３】
多数の光ファイバを集中配線する通信機器では、多数の光送受信モジュールの開口部をパネルに整列配置することで、任意の開口部に任意の光ファイバコネクタを挿入できるように配慮してある（本発明の図１２参照）。パネルにおける光送受信モジュール開口部の配置をより集約すると共に通信機器内部の配線を簡素にするため、基板の端部に光送受信モジュールを整列配置し、各々の開口部がパネルの各窓から露出するよう、上記基板を通信機器内に設置するのが望ましい。
【０００４】
一方、光送受信モジュール内の光学素子や電気素子に不具合が生じたときや、通信仕様（光波長や変調方式など）を相手と整合させたいときなど、光送受信モジュールをアセンブリ交換して対応したい場合がある。このため、図１５及び図１６に示すように、基板３０上には光送受信モジュール（図示せず）のパッケージ３１を機械的に保持するためのケージ３２が設けられ、ケージ３２を介して基板３０に光送受信モジュールを着脱できるようになっている。
【０００５】
ケージ３２は、一端（前端）を開放された前後に長い箱型に形成されており、前端からパッケージ３１を挿抜できるようになっている。電気的には、パッケージ３１の後端に接続端子群（図示せず）を形成し、基板３０上にはその相手方となる接続端子群（図示せず）を配置しておくことで、パッケージ３１をケージ３２に挿入したとき、接続が図られるようになっている。これにより、パネルの窓からパッケージ３１を挿抜することができ、通信機器を分解することなく光送受信モジュールを交換できるようになっている。
【０００６】
ケージ３２とパッケージ３１には、互いに係止しあうための雌雄ロック機構３３、３４がそれぞれ設けられている。雌側ロック機構３４は、ケージ３２の底面３５の前端部に前後に延びる２本の切り込み３６を形成し、これら切り込み３６の間に形成された板バネ３７と、板バネ３７に三角形に開口するように形成された係合穴３８とからなる。板バネ３７の前端には若干の反り３９が形成されている。雄側ロック機構３３は、係合穴３８に嵌め込むための突起（ロック部）をパッケージ３１の底面（図示せず）に設けてなるものである。
【０００７】
また、パッケージ３１には、通信機器のパネル外からアクセスしてロックを解除するためのリリース機構４０が設けられている。リリース機構４０は、パッケージ３１の前部に板バネ３７を押し下げるためのスライドブロック４１を前後方向にスライド可能に設けてなるものである。スライドブロック４１は、後端に板バネ３７を押し下げるためのテーパ面４２を有する。図１７に示すように、スライドブロック４１は、後方へスライドすることでテーパ面４２で板バネ３７を押し下げ、係合穴３８を雄側ロック機構３３たる突起から抜くようになっている。
【０００８】
なお、図１５、図１６及び図１７は、説明を分かりやすくするために、スライドブロック４１の厚みや板バネ３７の反り具合などを強調した記載となっているが、実際の板バネ３７やロック部は基板３０に当たらない寸法に設定されている。
【０００９】
また、ケージ３２の形状（寸法や係合穴３８の位置）は、各メーカ共通の規格により規定されている。
【００１０】
【特許文献１】
米国特許第６４３９９１８Ｂ１号明細書（第３Ｂ図、第４図）
【００１１】
【発明が解決しようとする課題】
ところで、パネルにおける開口部の配置を集約するために、開口部は上下多段に配置するのが望ましく、開口部の上下間隔はできるだけ小さくすることが望ましい。
【００１２】
しかしながら、パッケージ３１の上下間隔を小さく設定すると、図１８に示すようにスライドブロック４１が下段のパッケージ３１に接近しすぎ、指先（参考のため図示）でスライドブロック４１を所定のロック解除位置まで押し込むのが困難となってしまう課題があった。また、パッケージ３１を前方に引き抜くには、パッケージ３１の前部を指でつまんで行うが、パッケージ３１の上下間隔や左右間隔が狭くなると困難になってしまう課題があった。
【００１３】
そこで、本発明の目的は、上記課題を解決し、ロックの解除を容易にでき、容易にケージから取り外すことのできる安価で組立容易なロック機構付きパッケージを提供することにある。
【００１４】
【課題を解決するための手段】
上記目的を達成するために本発明は、ケージ内に挿抜自在に挿入されるパッケージ本体と、該パッケージ本体に挿抜方向と交差する方向へ延びて設けられ上記ケージに抜き取り方向の移動を規制するように係合されるロック部と、上記パッケージ本体に挿抜方向スライド自在に設けられ抜き方向にスライドすることで上記ケージを上記ロック部から離すように押すリリース部材とを備えて構成したものである。
【００１５】
リリース部材を引き抜くことでパッケージとケージのロックを容易に解除できる。
【００１６】
そして、上記パッケージ本体に、上記リリース部材の少なくとも一部を収容するリリース部材収容部を形成するとよい。
【００１７】
また、上記リリース部材は、挿し方向へスライドさせたとき上記パッケージ本体に完全に没入する位置までスライド可能に設けられるとよい。
【００１８】
そして、上記リリース部材はそのスライド行程中に、上記パッケージ本体に完全に没入する位置から略無負荷で抜き方向にスライドしてパッケージ本体から突出する遊び行程と、上記ケージに係合してケージを上記ロック部から離脱させるロック解除行程と、上記パッケージ本体に抜き側へのスライドを規制されてパッケージ本体に抜き方向の力を伝える引き抜き行程とを有するとよい。
【００１９】
また、上記リリース部材をそのスライド方向に沿って弾発付勢する弾性部材を備えるとよい。
【００２０】
そして、上記リリース部材を抜き方向に弾発付勢する弾性部材と、該弾性部材の弾発力に抗して上記リリース部材のスライドを規制するスライド規制機構とを備えるとよい。
【００２１】
また、上記リリース部材は、一端を抜き側に露出させると共に他端側に上記ケージ側に膨らむ凸部を有し、上記パッケージ本体には、上記ロック部の近傍位置で上記凸部を上記ケージ側に押し当てるように案内するガイド部が設けられるとよい。
【００２２】
そして、上記パッケージ本体に、上記凸部が上記ケージに押し当てられているときに上記凸部に係合して上記リリース部材の抜き方向の相対移動を規制するストッパ手段を設けるとよい。
【００２３】
また、上記リリース部材収容部内に上記ガイド部を設けるとよい。
【００２４】
上記凸部は上記リリース部材の一部を成形して形成されるとよい。
【００２５】
そして、上記リリース部材は抜き側の端部に取っ手を有するとよい。取っ手はリリース部材の一部を成型して形成されるとよい。
【００２６】
上記パッケージ本体は、上記取っ手を収容すべく上記取っ手の周囲を切り欠いて形成した収容スペースを有するとよい。
【００２７】
【発明の実施の形態】
本発明の好適実施の形態を添付図面に基づいて詳述する。
【００２８】
図１２に示すように、ロック機構付きパッケージ１を取り付ける通信機器２は箱型シャーシ３の前面をフランジ付きパネル４にしたもので、パネル４にはパッケージ１を挿入するための窓５が縦横に複数列形成されている。箱型シャーシ３内には、窓５に位置を合わせるように複数のケージ（図示せず）を整列配置した基板（図示せず）が上下に重ねて収容されている。ケージと基板は上述した従来技術と同じものである。以降、ケージと基板については図面に同符号を付し、説明を省く。
【００２９】
図１はケージ３２内に挿入されたパッケージ１を上方から見下ろした斜視図であり、図２は図１のパッケージ１を下から見上げた斜視図であり、図３は図１のパッケージ１の要部側断面図である。
【００３０】
図１及び図２に示すように、パッケージ１は、ケージ３２内に挿抜自在に挿入されるパッケージ本体６と、パッケージ本体６に設けられケージ３２の雌側ロック機構３４に締結解除可能にロックされる雄側ロック機構７と、パッケージ本体６に設けられ雌雄ロック機構７、３４を解除するためのリリース機構８とを備えて構成されている。
【００３１】
図２及び図４に示すように、パッケージ本体６は、挿抜方向（前後方向）に長い略直方体状に形成されケージ３２内に収容される胴部９と、胴部９の前側（抜き側）に一体に形成されケージ３２外に露出される頭部１０とからなる。頭部１０は、上下左右の外形寸法をケージ３２と略同じに形成されており、光ファイバコネクタ（図示せず）を装着するためのソケット１１を有する。
【００３２】
雄側ロック機構７は、胴部９に挿抜方向と交差（直交）する方向に延びるように形成されケージ３２の係合穴３８に挿入されるロック部１２からなる。具体的には、ロック部１２は、胴部９の底面１３から下方に延びるように形成された突起からなり、係合穴３８の形状にマッチするように三角柱状に形成されている。
【００３３】
図３及び図４に示すように、リリース機構８は、後述するリリース部材１５を抜き方向にスライドすることでケージ３２をロック部１２から押し離すものであり、パッケージ本体６に前後方向スライド可能に設けられケージ３２側に膨らむ凸部１４を有するリリース部材１５と、パッケージ本体６に形成されリリース部材１５をスライド可能に収容するリリース部材収容部１６と、リリース部材収容部１６内に設けられロック部１２の近傍位置で凸部１４をケージ３２側に接近させるように案内するガイド部１７とを備えて構成されている。
【００３４】
リリース部材収容部１６は、ロック部１２の両側に前後に延びるように形成されており、後述するリリース部材１５をガイドするようになっている。また、頭部１０の下部には、リリース部材収容部１６から延びるリリース部材１５を前後方向スライド可能に挿通させるためのスリット１８が形成されており、リリース部材１５の一端（前端）を引き抜き側に露出させるようになっている。
【００３５】
ガイド部１７は、それぞれのリリース部材収容部１６内に前方へ向けて徐々に溝の深さを浅くする傾斜面１９を形成してなるものであり、ロック部１２の前端近傍で最もリリース部材収容部１６の深さを浅くするように形成されている。これにより後述する凸部１４がロック部１２の近傍にスライドされてきたとき凸部１４をケージ３２側に案内して板バネ３７に押し付け、板バネ３７をロック部１２から押し退けるようになっている。
【００３６】
リリース部材１５は、金属板等の弾力性のある板材を屈曲形成してなるものであり、所定位置にスライドすることでケージ３２とパッケージ本体６のロックを解除するようになっている。所定位置とは後述する凸部１４がケージ３２をロック部１２から押し離すときのリリース部材１５の位置である。また、リリース部材１５は、挿し方向へスライドさせたときパッケージ本体６に完全に没入する位置までスライド可能に設けられている。そして、リリース部材１５のスライド行程は、パッケージ本体６に完全に没入する位置から略無負荷で抜き方向にスライドしてパッケージ本体６から突出する遊び行程と、ケージ３２に係合してケージ３２をロック部１２から離脱させるロック解除行程と、パッケージ本体６に抜き側へのスライドを規制されてパッケージ本体６に抜き方向の力を伝える引き抜き行程とを備えて構成されている。
【００３７】
リリース部材１５は、パッケージ１をケージ３２内に収めた状態で頭部１０内に位置される広板部２０と、広板部２０の後端から二股に分かれて後方に平行に延びリリース部材収容部１６内に収容される細板部２１とからなる。
【００３８】
広板部２０は、前端を上側（頭部１０の中央側）にフック状に屈曲成型してなる取っ手２４を有し、指先を上から引っ掛け易いようになっている。細板部２１は、リリース部材１５をパッケージ本体６内に押し込んだときにガイド部１７をかわしつつ後側をパッケージ本体６側（上側）へ向けるように緩やかに湾曲されており、中間位置に凸部１４を有する。具体的には、細板部２１は、それぞれ幅方向のロック部１２側を前後方向の中間位置で分岐させると共に、この分岐された先端を下方（ケージ３２側）へ巻き返すように成型して凸部１４を形成している。
【００３９】
また、パッケージ１の頭部１０は、スリット１８の前端の周囲を弓なり状に後退させるように切り欠いて形成されており、取っ手２４を収容すると共にリリース部材１５の前端近傍に指先を入れるための収容スペース２２を形成するようになっている。
【００４０】
次に本実施の形態の作用を述べる。
【００４１】
図１、図２及び図３に示すように、ケージ３２内に収容され、雌雄ロック機構７、３４を介してケージ３２にロックされたパッケージ１をケージ３２から取り外す場合、リリース部材１５の取っ手２４に指先を引っ掛け、リリース部材１５を引く。このとき、取っ手２４は頭部１０の収容スペース２２内に収容されているが、収容スペース２２は指先を入れやすいように形成されており、かつ、リリース部材１５は凸部１４がケージ３２に当たるまでのスライド行程をほとんど無負荷でスライドする遊びとしているため、容易にリリース部材１５のみを引くことができる。また、取っ手２４は、リリース部材１５の前端を上側にフック状に屈曲してなるものであり、パッケージ１の正面に指先を入れて取っ手２４を下方へ押しながら引けるため、パッケージ１同士がいかに上下左右に近接していてもリリース部材１５を容易に引き出すことができる。
【００４２】
図５、図６、図７及び図８に示すように、リリース部材１５をパッケージ本体６から引き出すと、リリース部材１５はリリース部材収容部１６に沿ってスライドし、凸部１４がガイド部１７の傾斜に沿って下方に移動する。これにより、凸部１４はケージ３２の板バネ３７を下方に押し下げ、係合穴３８の前端側をロック部１２から外す。
【００４３】
そして、リリース部材１５をさらに引くと、凸部１４がスリット１８の後端にて頭部１０に当たり、パッケージ本体６に対するスライドを規制される。すなわち、スリット１８を区画する頭部１０がストッパ（ストッパ手段）２３を構成し、リリース部材１５がケージ３２とパッケージ本体６のロックを解除したときにストッパ２３がリリース部材１５に係合してリリース部材１５に作用する引き抜き方向の力をパッケージ本体６に伝える。このとき、ストッパ２３はロック部１２に近接されており、凸部１４はガイド部１７に案内されながらストッパ２３に当接するように形状を決定されているため、係合穴３８の前端側はロック部１２から外れている。また、リリース部材１５は前端を下方へ押され、凸部１４の後側をガイド部１７の突端に接触されているため、凸部１４は上方へ移動することなくスリット１８の下側にしっかりと係合されている。
【００４４】
図９、図１０及び図１１に示すように、この状態からさらにリリース部材１５を引くと、パッケージ本体６をケージ３２から容易に引き出すことができる。
【００４５】
パッケージ１をケージ３２内にセットするときは、図４に示すようにリリース部材１５をパッケージ本体６内に押し込んだのち、パッケージ１をケージ３２内に挿入する。ロック部１２は、板バネ３７の反り３９に当たって押し、板バネ３７を押し下げる。そして、ロック部１２は、所定の位置に到達することで係合穴３８内に挿入される。このとき、リリース部材１５は凸部１４も含めてリリース部材収容部１６内に収容されているため、ケージ３２等に干渉することはなく、パッケージ１の挿入を邪魔することはない。
【００４６】
このように、ケージ３２内に挿抜自在に挿入されるパッケージ本体６と、パッケージ本体６に挿抜方向と交差する方向へ延びて設けられケージ３２に抜き取り方向の移動を規制するように係合されるロック部１２と、パッケージ本体６に挿抜方向スライド自在に設けられ抜き方向にスライドすることでケージ３２をロック部１２から離すように押すリリース部材１５とを備えてパッケージ１を構成したため、リリース部材１５を引くだけでパッケージ１とケージ３２のロックを容易に解除でき、パッケージ１同士が上下左右に近接していても容易にロックを解除できる。
【００４７】
そして、パッケージ本体６に、リリース部材１５の少なくとも一部を収容するリリース部材収容部１６を形成したため、リリース部材１５をスライド自在にガイドするための構造を簡単にできる。
【００４８】
また、リリース部材１５は、挿し方向へスライドさせたときパッケージ本体６に完全に没入する位置までスライド可能に設けるものとしたため、誤操作によってリリース部材１５を引き出してしまうのを防ぐことができる。
【００４９】
そして、リリース部材１５はそのスライド行程中に、パッケージ本体６に完全に没入する位置から略無負荷で抜き方向にスライドしてパッケージ本体６から突出する遊び行程と、ケージ３２に係合してケージ３２をロック部１２から離脱させるロック解除行程と、パッケージ本体６に抜き側へのスライドを規制されてパッケージ本体６に抜き方向の力を伝える引き抜き行程とを有するものとしたため、リリース部材１５を容易に引くことができると共に、ケージ３２からパッケージ本体６を確実に取り外すことができる。
【００５０】
また、パッケージ本体６に挿抜方向スライド可能に、かつ、一端を引き抜き側（前端側）に露出させて設けられ、他端側にケージ３２側に膨らむ凸部１４を有するリリース部材１５と、パッケージ本体６に設けられロック部１２の近傍位置で凸部１４をケージ３２側に押し当てるように案内するガイド部１７とを備えてパッケージ１を構成したため、リリース部材１５を引くだけで凸部１４をケージ３２側に押し出して係合穴３８をロック部１２から外すことができ、パッケージ１同士が上下左右に近接していても容易にロックを解除できる。
【００５１】
そして、パッケージ本体６に、凸部１４がケージ３２を押しているときに凸部１４に係合してリリース部材１５の抜き方向の相対移動を規制するストッパ２３を設けたため、リリース部材１５を引くことでケージ３２からパッケージ１を容易に引き抜くことができる。すなわち、ロックが解除されるまではリリースハンドルとして機能していたリリース部材１５が、ロック解除されたのちはケージ３２からパッケージ１を引き抜くための取っ手として機能し、パッケージ１の取り外しを容易なものとする。特に、凸部１４が板バネ３７を押し下げて係合穴３８の前端側をロック部１２から抜いているとき、凸部１４に当たるようにストッパ２３の位置を設定したため、リリース部材１５を引くだけでパッケージ１のロック解除と引き抜きとを正確なタイミングで行うことができ、パッケージ１同士が上下左右に近接していてもパッケージ１をケージ３２から容易に取り外すことができる。
【００５２】
また、リリース部材１５は、一端に取っ手２４を有するため、パッケージ１同士が上下左右に近接していても容易にリリース部材１５に指先を引っ掛けることができ、容易にリリース部材１５を引くことができる。
【００５３】
そして、パッケージ本体６は、取っ手２４を収容すべく取っ手２４の周囲を切り欠いて形成されたため、ロック中には光ファイバコネクタの着脱作業の邪魔とならないように取っ手２４を収容しておくことができると共に、リリース部材１５の前端近傍に指先を入れるための収容スペース２２を形成でき、指先をリリース部材１５に容易に引っ掛けることができる。
【００５４】
また、リリース部材収容部１６内にガイド部１７を設けたため、ケージ３２にパッケージ１を挿入して組み立てるときにリリース部材１５が組立作業の邪魔となることはなく、容易に組み立てることができる。また、リリース機構８を簡易な構造にでき、パッケージ１を安価に製作できる。
【００５５】
凸部１４はリリース部材１５の一部を成形して形成するため、簡単かつ安価に製作できる。
【００５６】
なお、リリース部材１５は、金属板等の弾力性のある板材を屈曲形成してなるものとしたが、弾力のある樹脂で一体形成してもよい。
【００５７】
また、リリース部材１５の前端はフック状に屈曲するものとしたが、これに限るものではない。例えば、リリース部材１５の前端に指先を掛けるためのリング（図示せず）を前方へ突出するように設けてもよい。
【００５８】
そして、リリース部材１５の細板部２１は前後方向の中間位置に凸部１４を有するものとしたが、後端位置に凸部１４を有するものとしてもよい。
【００５９】
また、図１３、図１４に示すように、パッケージ本体６とリリース部材１５との間にリリース部材１５をスライド方向に沿って弾発付勢する弾性部材５０、５１を設けてもよい。図１３に示す弾発部材５０は、リリース部材１５を挿し方向へ向けて弾発付勢するものであり、リリース部材１５の挿し方向側の端部とパッケージ本体６の後端部との間に設けられたスプリングからなる。このように、リリース部材１５を挿し方向へ向けて弾発付勢する弾性部材５０を備えることにより、リリース部材１５を引くとき以外は常にリリース部材１５をパッケージ本体６内に没入させておくことができ、取り扱いを容易にできる。
【００６０】
図１４に示す弾発部材５１は、リリース部材１５を抜き方向へ向けて弾発付勢するものであり、リリース部材１５の挿し方向側の端部とパッケージ本体６の後端部との間に設けられたスプリングからなる。パッケージ本体６には、弾性部材５１の弾発力に抗してリリース部材１５のスライドを規制するスライド規制機構５２が設けられている。具体的には、スライド規制機構５２は、パッケージ本体６に回動自在に設けられリリース部材１５に係脱可能に係合される爪部材５３と、爪部材５３をリリース部材１５から離脱させるように回動させる操作機構（図示せず）とを備えて構成されている。爪部材５３は、リリース部材１５がパッケージ本体６内に没入されたときにリリース部材１５に係合してリリース部材１５の抜き方向へのスライドを規制するように構成されている。
【００６１】
【発明の効果】
以上要するに本発明によれば、次のような優れた効果を奏する。
（１）パッケージとケージのロックを容易に解除できる。
（２）パッケージをケージから容易に取り外すことができる。
【図面の簡単な説明】
【図１】本発明の好適実施の形態を示すロック機構付きパッケージをケージに装着した状態の斜視図である。
【図２】ケージに装着したロック機構付きパッケージの斜視図である。
【図３】ケージに装着したロック機構付きパッケージの側断面図である。
【図４】ロック機構付きパッケージの斜視図である。
【図５】リリース部材を引き出したロック機構付きパッケージとケージの斜視図である。
【図６】リリース部材を引き出したロック機構付きパッケージとケージの斜視図である。
【図７】リリース部材を引き出したロック機構付きパッケージとケージの側断面図である。
【図８】リリース部材を引き出したロック機構付きパッケージの斜視図である。
【図９】ケージから引き出したロック機構付きパッケージの斜視図である。
【図１０】ケージから引き出したロック機構付きパッケージの斜視図である。
【図１１】ケージから引き出したロック機構付きパッケージの側断面図である。
【図１２】通信機器の斜視図である。
【図１３】他の実施の形態を示すロック機構付きパッケージの要部拡大側断面図である。
【図１４】他の実施の形態を示すロック機構付きパッケージの要部拡大側断面図である。
【図１５】従来のロック機構付きパッケージの斜視図である。
【図１６】従来のロック機構付きパッケージの斜視図である。
【図１７】従来のロック機構付きパッケージの斜視図である。
【図１８】従来のロック機構付きパッケージを利用した通信機器の側断面図である。
【符号の説明】
１  ロック機構付きパッケージ
６  パッケージ本体
１２  ロック部
１４  凸部
１５  リリース部材
１６  リリース部材収容部
１７  ガイド部
２２  収容スペース
２３  ストッパ（ストッパ手段）
２４  取っ手
３２  ケージ
３８  係合穴
【図１】
2004309575.tif 000003
【図２】
2004309575.tif 000004
【図３】
2004309575.tif 000005
【図４】
2004309575.tif 000006
【図５】
2004309575.tif 000007
【図６】
2004309575.tif 000008
【図７】
2004309575.tif 000009
【図８】
2004309575.tif 000010
【図９】
2004309575.tif 000011
【図１０】
2004309575.tif 000012
【図１１】
2004309575.tif 000013
【図１２】
2004309575.tif 000014
【図１３】
2004309575.tif 000015
【図１４】
2004309575.tif 000016
【図１５】
2004309575.tif 000017
【図１６】
2004309575.tif 000018
【図１７】
2004309575.tif 000019
【図１８】
2004309575.tif 000020